(57)【特許請求の範囲】
【請求項１】
護岸、堤防等の防水堤に関連して設けられ、水位が上昇すると、上昇して防水堤の上面からの溢水を防ぐようになっている複数枚の溢水防止板と、海水あるいは水圧の作用により浮くフロートとからなる可動堤防であって、前記複数枚の溢水防止板は、その側部が互いに多少の遊びをもって接続されていると共に、その下方部分には、前記フロートが設けられ、水位が上昇すると前記フロートの浮力により前記溢水防止板が上昇して溢水を防止することを特徴とする可動堤防。
【請求項２】
護岸、堤防等の防水堤に関連して設けられ、水位が上昇すると、上昇して防水堤の上面からの溢水を防ぐようになっている複数枚の溢水防止板と、海水あるいは水圧の作用により浮くフロートと、略垂直になった防水堤に取り付けられるガイド板とからなる可動堤防であって、
前記複数枚の溢水防止板は、その側部が互いに多少の遊びをもって接続されて、前記ガイド板に設けられているガイドローラに案内されて上下動すると共に、その下方部分には、前記フロートが設けられ、水位が上昇すると前記フロートの浮力により前記溢水防止板が上昇して溢水を防止することを特徴とする可動堤防。
【請求項３】
請求項１または２に記載のフロートあるいは溢水防止板に、水流により揚力が発生する翼が補助的に設けられている可動堤防。
【発明の詳細な説明】
【０００１】
【発明の属する技術分野】
本発明は、護岸、堤防等の防水堤に関連して設けられ、水位が上昇すると、上昇して防水堤の上面からの溢水を防ぐようになっている複数枚の溢水防止板と、海水あるいは水圧の作用により浮くフロートとからなる可動堤防に関するものである。
【０００２】
【従来の技術】
堤防の高さが高くなり、洪水時の河川の氾濫を防ぐための可動堤防は、例えば特開平２−２４０３１２号公報により提案されている。この可動堤防は、概略的には堤防の天端上方に設けられている回動軸、この回動軸から延びている複数本のアーム、これらのアームに取り付けられている所定面積の複数枚の胸板、これらの胸板を駆動する駆動装置等から構成されている。したがって、必要時には駆動装置によりアームを回動させて胸板を回動して堤防の高さを継ぎ足すことができる。
【０００３】
【発明が解決しようとする課題】
上記のように、従来の可動堤防も、回動自在に駆動される胸板を備えているので、河川が氾濫するような非常時には胸板を駆動装置により駆動して堤防として利用することができる。そして、通常時には胸板の下は散歩道とし、また雨よけ、日よけ等にも利用することができる。しかしながら、問題点あるいは改良の余地も認められる。例えば、堤防の天端に比較的面積の大きい胸板が設けられているので、堤防の眺望の妨げになり、河川の景観を損なう恐れがある。また、災害時のような非常時には、停電等により電力が得られないことがあるが、従来の可動堤防の胸板は、駆動装置を格別に必要としているので、必要時に堤防としての役目を果たさないこともあり得る。もっとも、手動的に駆動することも考えられるが、胸板の重量等からみて、おおよそ実施不可能である。また、前記公報には、手動的に駆動する機構も示されていない。
本発明は、上記したような従来の問題点あるいは欠点を解消した可動堤防を提供することを目的とし、具体的には格別に動力を必要とせず、自動的に堤防の高さが高くなる可動堤防、すなわち港湾、河川等の水位の上昇と共に上昇する可動堤防を提供することを目的ている。
【０００４】
【課題を解決するための手段】
本発明の上記目的は、海水あるいは水に浮くフロートを溢水防止板に適用することにより達成される。すなわち、本発明は上記目的を達成するために、護岸、堤防等の防水堤に関連して設けられ、水位が上昇すると、上昇して防水堤の上面からの溢水を防ぐようになっている複数枚の溢水防止板と、海水あるいは水圧の作用により浮くフロートとからなる可動堤防であって、前記複数枚の溢水防止板は、その側部が互いに多少の遊びをもって接続されていると共に、その下方部分には、前記フロートが設けられ、水位が上昇すると前記フロートの浮力により前記溢水防止板が上昇して溢水を防止するように構成される。請求項２に記載の発明は、護岸、堤防等の防水堤に関連して設けられ、水位が上昇すると、上昇して防水堤の上面からの溢水を防ぐようになっている複数枚の溢水防止板と、海水あるいは水圧の作用により浮くフロートと、略垂直になった防水堤に取り付けられるガイド板とからなる可動堤防であって、前記複数枚の溢水防止板は、その側部が互いに多少の遊びをもって接続されて、前記ガイド板に設けられているガイドローラに案内されて上下動すると共に、その下方部分には、前記フロートが設けられ、水位が上昇すると前記フロートの浮力により前記溢水防止板が上昇して溢水を防止するように構成される。そして請求項３に記載の発明は、請求項１または２に記載のフロートあるいは溢水防止板に、水流により揚力が発生する翼が補助的に設けられる。
【０００５】
【発明の実施の形態】
以下、添付図面により本発明の実施の形態を説明する。図１の（イ）、（ロ）は本発明の第１、２の実施の形態を模式的且つ概略的に示す断面図であるが、図１の（イ）に示されているように、第１の実施の形態に係わる可動堤防１は、河川側が略垂直になった垂直堤Ｓに適用されるもので、所定面積の複数枚の溢水防止板２、２、…から構成されている。そして、この溢水防止板２の板状本体３の下方部分には、エアチャンバーすなわちフロート４が設けられ、垂直堤Ｓに取り付けられているガイド板１０によって上下方向に案内されるようになっている。ガイド板１０は、堤防Ｔの近傍の風景を損なわないように、堤防Ｔの頂部Ｕより上方へ突出しないように取り付けられ、また溢水防止板２も、その上方端部は水位Ｈが通常の位置にあるときは、頂部Ｕより上方へは出ない。したがって、図１の（イ）の左半分は、水位Ｈが通常の低い位置にあるときを示しているが、通常の水位Ｈのときにはフロート４に浮力が作用しない位置関係で、フロート４は板状本体３に設けられている。これに対し、図１の（イ）の右半分に示されているように水位Ｈ’が上昇すると、フロート４は水中に没するようになり浮力が作用する。その結果、溢水防止板２の板状本体３が堤防Ｔの頂部Ｕより上方へ突き出て、頂部Ｕから溢水が防止される。なお、板状本体３、３、…の両側部は、後述するように、互いに多少の遊びをもって接続されている。
【０００６】
図１の（ロ）は、本発明の第２の実施の形態を、図１の（イ）と同様に模式的且つ概略的に示す断面図であるが、同図に示されているように、第２の実施の形態に係わる可動堤防１’は、傾斜堤Ｓ’からなる堤防Ｔ’に適用されるもので、本実施の形態に係わる可動堤防１’も所定面積の複数枚の溢水防止板２’から構成されている。そして、これらの溢水防止板２’は、堤防Ｔ’の頂部Ｕ’にヒンジ１０’により回動自在に取り付けられている。溢水防止板２’の下方部分には、第１の実施の形態と同様に、フロート４’が設けられている。溢水防止板２’の傾斜方方向の長さおよびフロート４’の位置関係は、図１の（ロ）の左半分において示されているように、通常の水位Ｈのときにはフロート４’に浮力が作用しないように選定されている。したがって、通常の水位Ｈのときは、溢水防止板２’はフロート４’が傾斜堤Ｓ’に支持され、傾斜堤Ｓ’に略並行になっている。これに対し水位Ｈ’が上昇すると、フロート４’が浮く。したがって、溢水防止板２’はヒンジ１０’を中心として回動し、図１の右半分に示されているように、フロート４’が上昇し、溢水防止板２’もその下端部が堤防Ｔ’の頂部Ｕ’よりも上方に位置するようになる。これにより溢水が防止される。なお、複数枚の溢水防止板２’、２’、…は、その側部において例えば蛇腹のような連結部材により互いに接続されている。これにより、複数枚の溢水防止板２’、２’、…の回動時の個々の運動量の差が許容されることになる。
【０００７】
以下、本発明の第１の実施の形態をさらに詳しく説明する。溢水防止板２は、図２の斜視図に示されているように、板状本体３から略方形を呈するように構成されている。そして、板状本体３の下方部分にフロート４が設けられている。このようにフロート４が板状本体４の下方部分に設けられているのでフロート４が浮くときは、板状本体４の上方部分はフロート４よりも、すなわち水面よりもさらに上方に出ることになる。板状本体４の、一方の側縁は、全長にわたって段状に切り欠かれた嵌合凸部５となっている。これに対し、他方の側縁には、延長部分６と補助部分７とにより上下方向に嵌合凹部８形成されている。この嵌合凸部５は、溢水防止板２を組み立てるときに隣接する溢水防止板２の嵌合凹部８に多少の遊びをもってはまる。したがって、隣接する溢水防止板２は、互いに拘束されることなく、上下動することができる。このように構成されている溢水防止板２の両側部近傍には、上下方向に細長い一対のガイド透孔９、９が形成されている。これらのガイド透孔９、９の下端部は開放されている。これにより、溢水防止板２を、後述するガイド板１０に容易に取り付けることができる。
【０００８】
ガイド板１０とガイドローラ２０の実施の形態が図３に示されている。ガイド板１０は、図３の（イ）の斜視図に示されているように、平板部１１とフランジ部１２とから、これらが略直角になるように一体的に形成されている。ガイド板１０は、その平板部１１が堤防Ｔの垂直壁Ｓに接し、そしてフランジ部１２が頂部Ｕに乗る形で堤防Ｔに取り付けられるが、そのためにフランジ部１２には複数個の透孔１３、１３、…が明けられ、これらの透孔１３、１３、…を利用して例えばアンカーボルトにより堤防Ｔに取り付けられている。なお、平板部１１にも透孔を明け、平板部１１も堤防Ｔに取り付けるように実施することもできるが、図３には示されていない。
【０００９】
ガイドローラ２０は、本実施の形態では、図３の（ロ）に示されているように、３個の第１〜第３のローラ２４、２５、２６が１組になって溢水防止板２すなわち板状本体３を案内するようになっている。さらに詳しく説明すると、ガイド板１０の平板部１１には、その面から離間する方向に所定量延びた第１のアーム２１が固定されている。そして、この第１のアーム２１の先端の両サイドに一対の第１のローラ２４、２４が回転自在に設けられている。本実施の形態によると、第１のアーム２１は平板状を呈し、その面が垂直になるようにして平板部１１に固定されている。したがって、溢水防止板２を、上方から第１のアーム２１にガイド透孔９、９を挿入する形で取り付けることができる。図３の（イ）には簡潔に示すために、第２、３のローラ２５、２６は示されていないが、ガイド板１０の平板部１１には、第１のアーム２１と上下方向に所定の間隔をおいて、第２、３のアーム２２、２３が取り付けられている。そして、これらの第１、２のアーム２２、２３の先端部に第２、３のローラ２５、２６が回転自在に設けられている。このような第１のローラ２４と、第２、３のローラ２５、２６との間の間隔は、溢水防止板２の板状本体３の板厚よりも多少大きくなっている。したがって、溢水防止板２は第１〜第３のローラ２４、２５、２６により挟持されるような形で上下方向に案内される。これにより、溢水防止板２は傾くことなく、ガイド板１０に沿って平行に案内されることになる。なお、本実施の形態によると、このようなローラ２４、２５、２６の組が、溢水防止板２の両側に上下方向に複数段にわたって設けられている。
【００１０】
図４は、本発明の実施の形態に係わる溢水防止板２、２…を組み立てた状態の詳細を示す図で、その（イ）は側断面図、その（ロ）は水平断面図であるが、これらの図に示されているように、ガイド板１０の平板部１１と、溢水防止板２の板状本体３との間には、組み立てたときに隙間が生じる。そこで、本実施の形態では、この隙間を被うようにして可撓性のカバー３０が多少撓んだ状態でフランジ部１２に取り付けられている。これにより、隙間にゴミ、異物等が落下することが防止され、また水の漏れの防止の役目も奏している。図４の（ロ）にも示されているように溢水防止板２の板状本体３は、隣接する板状本体３と、嵌合凸部５と嵌合凹部８とにより嵌合状態で接続されているが、嵌合部分に多少の遊びがあるので、板状本体３は互いに拘束されることなく、独立して上下動できる。このように嵌合部には遊びがあるので、遊び部分から多少の水は漏れる。しかしながら、本実施の形態によると、嵌合凹部８は比較的面積の広い補助部分７から構成され、この補助部分７には図４の（ロ）において多数の矢印で示されているように、水圧が作用し、この水圧により補助部分７が嵌合凸部５の側面に圧接される。この圧接により漏れる量が減少し、非常時の可動堤防としては十分に堤防の機能を発揮する。
【００１１】
本発明は、上記実施の形態に限定されることなく色々な形で実施できる。例えば、フロート４は板状本体３とは別体に形成し、そして板状本体３に取り付けることができることは明らかである。また、フロート４の形状が図示の実施の形態に限定されることがないことも明らかである。さらには、本実施の形態を主として河川の堤防に適用される例について説明したが、海の岸壁に適用して高潮を防止できることもできる。河川に適用するときは、水には流れがあるので、この水の流をフロートの浮力の補助とすることもできる。すなわち、フロートあるいは板状本体３に翼を取り付け、この翼に作用する揚力をフロートの浮力の補助とすることもできる。板状本体３の側部の嵌合部の構成が、またガイドローラの構成が上記実施の形態に限定されることがないことも明らかである。なお、本実施の形態の構成要素の材質については格別に説明はされていないが、例えばローラ２４、２５、２６をＮＣナイロン、硬質ウレタン等の樹脂から構成できるように、構成要素に適した材料を選択できることも明らかである。
【００１２】
【発明の効果】
以上のように、本発明によると、複数枚の溢水防止板は、その側部が互いに多少の遊びをもって接続されていると共に、その下方部分には、フロートが設けられ、水位が上昇するとフロートの浮力により溢水防止板が上昇して溢水を防止するので、溢水が自動的に防止される。すなわち、本発明によると、電力等の格別の動力源あるいは駆動装置が無くても溢水を確実に防止できるという、本発明に特有の効果が得られる。また、他の発明によると、フロートあるいは溢水防止板に、水流により揚力が発生する翼が補助的に設けられているので、フロートが小さくても、あるいは溢水防止板の面積が広くて重量が大きくても、溢水を防止できる効果がさらに得られる。
【図面の簡単な説明】
【図１】本発明の実施の形態を示す図で、その（イ）は第１の実施の形態の概略を模式的に示す断面図、その（ロ）は第２の実施の形態の概略を同様に模式的に示す断面図である。
【図２】本発明の実施の形態に係わる溢水防止板の実施の形態を示す斜視図である。
【図３】本発明の実施の形態に係わるガイド板とガイドローラの実施の形態を示す図で、その（イ）は斜視図、その（ロ）は断面図である。
【図４】本発明の実施の形態に係わる溢水防止板を組み立てた状態を示す図で、その（イ）は側断面図、その（ロ）は水平断面図である。
【符号の説明】
１、１’      可動堤防              ２、２’          溢水防止板
４            フロート            １０                ガイド板
２４〜２６      ローラ（ガイド）      Ｔ                堤防
Ｓ            垂直堤
【図１】
0004100534.tif 000002
【図２】
0004100534.tif 000003
【図３】
0004100534.tif 000004
【図４】
0004100534.tif 000005